(57)【要約】      （修正有）【課題】サーフィンのように揺れることにより身体を動かすことができる揺れ運動部材を提供する。【解決手段】エ字形のベース１０と、ベース１０の中段に枢設される揺れ部材２０と、揺れ部材２０の上部に設けられるボード３０とを備えることを特徴とする。【効果】エ字形のベースと、ベースの中断に枢設される揺れ部材と、揺れ部材の上部に設けられるボードとを備える揺れ運動部材によって両足が平行するようにボードの上に立ちあがるまま、揺れ部材がベースに対して揺れることにより、上半身を下半身に対して動かしながら、腰を動かすと共に、身体のバランス感を訓練することができる。【選択図】図１
0003100775.tif 000002
【実用新案登録請求の範囲】
【請求項１】
エ字形のベース（１０）と、ベース（１０）の中段に枢設される揺れ部材（２０）と、揺れ部材（２０）の上部に設けられるボード（３０）とを備えることを特徴とする揺れ運動部材。
【請求項２】
前記エ字形のベース（１０）の中段に枢設座（１１）が設けられ、前記揺れ部材（２０）は中央に枢設孔（２１０）が形成されると共に、両端に自由端（２１１）が設けられるＶ字形の枢設ロッド（２１）と二つの油圧ロッド（２２）を有し、固定部材（２３）によって該枢設ロッド（２１）の中央個所と油圧ロッド（２２）の一端が枢設座（１１）に枢設され、該油圧ロッド（２２）の他端が枢設ロッド（２１）の自由端（２１１）に枢設され、前記ボード（３０）は揺れ部材（２０）の枢設ロッド（２１）における自由端（２１１）の上部に固設されることを特徴とする請求項１に記載の揺れ運動部材。
【請求項３】
前記エ字形のベース（１０）の中段における枢設座（１１）の両側に弾性力を有する緩衝ブロック（１２）が設けられると共に、枢設座（１１）の外側に装飾カバー（１３）が設けられ、前記ボード（３０）の両端に止めプレート（３１）が設けられることを特徴とする請求項２に記載の揺れ運動部材。
【考案の詳細な説明】
【技術分野】
【０００１】
本考案は、特にサーフィンのように揺れることにより身体を動かすことができる揺れ運動部材に関するものである。
【背景技術】
【０００２】
生活空間が狭くなってしまうので、都市に住んでいる人々には運動不足という問題がどんどん増えていく、この問題を解決するため、運動部材が開発される。現有の運動部材の種類は様々であり、例えば、ステッパーやウォーカーやサイクルマシンなどの運動部材が家庭にも使えるので、よく使用されている。
【考案の開示】
【考案が解決しようとする課題】
【０００３】
しかしながら、前記運動部材は走りや歩きなど足を訓練する形式のほうが多いが、バランス感を訓練するものが殆どないから、若しサーフィンのように揺れることによりバランス感を訓練する一石二鳥の運動部材があれば、屋内で身体を動かすと共に、バランス感を訓練することができる。
【０００４】
そこで、案出されたのが本考案であって、サーフィンのように揺れることにより身体を動かすことができる揺れ運動部材を提供することを目的としている。
【課題を解決するための手段】
【０００５】
本願の請求項１の考案は、エ字形のベース（１０）と、ベース（１０）の中段に枢設される揺れ部材（２０）と、揺れ部材（２０）の上部に設けられるボード（３０）とを備えることを特徴とする揺れ運動部材及び、
本願の請求項２の考案は、前記エ字形のベース（１０）の中段に枢設座（１１）が設けられ、前記揺れ部材（２０）は中央に枢設孔（２１０）が形成されると共に、両端に自由端（２１１）が設けられるＶ字形の枢設ロッド（２１）と二つの油圧ロッド（２２）を有し、固定部材（２３）によって該枢設ロッド（２１）の中央個所と油圧ロッド（２２）の一端が枢設座（１１）に枢設され、該油圧ロッド（２２）の他端が枢設ロッド（２１）の自由端（２１１）に枢設され、前記ボード（３０）は揺れ部材（２０）の枢設ロッド（２１）における自由端（２１１）の上部に固設されることを特徴とする請求項１に記載の揺れ運動部材及び、
本願の請求項３の考案は、前記エ字形のベース（１０）の中段における枢設座（１１）の両側に弾性力を有する緩衝ブロック（１２）が設けられると共に、枢設座（１１）の外側に装飾カバー（１３）が設けられ、前記ボード（３０）の両端に止めプレート（３１）が設けられることを特徴とする請求項２に記載の揺れ運動部材、を提供する。
【考案の効果】
【０００６】
本考案は上記の課題を解決するものであり、エ字形のベースと、ベースの中段に枢設される揺れ部材と、揺れ部材の上部に設けられるボードとを備える揺れ運動部材によって両足が平行するようにボードの上に立ちあがるまま、揺れ部材がベースに対して揺れることにより、上半身を下半身に対して動かしながら、腰を動かすと共に、身体のバランス感を訓練することができる。
【考案を実施するための最良の形態】
【０００７】
以下、添付図面を参照して本考案の好適な実施の形態を詳細に説明する。尚、下記実施例は、本考案の好適な実施の形態を示したものにすぎず、本考案の技術的範囲は、下記実施例そのものに何ら限定されるものではない。
【０００８】
図１は本考案に係る揺れ運動部材の斜視図であり、図２は本考案に係る揺れ運動部材の分解斜視図であり、図３は本考案に係る揺れ運動部材の側面図であり、図４は本考案に係る揺れ運動部材の使用状態を示す斜視図であり、図５は本考案に係る揺れ運動部材の他の使用状態を示す斜視図である。
【０００９】
図１及び図２に示すように、本考案に係る揺れ運動部材はエ字形のベース（１０）と、ベース（１０）の中段に枢設される揺れ部材（２０）と、揺れ部材（２０）の上部に設けられるボード（３０）とを備える。
【００１０】
前記エ字形のベース（１０）の中段に枢設座（１１）が設けられると共に、該枢設座（１１）の両側に弾性力を有する緩衝ブロック（１２）が設けられる。
【００１１】
前記揺れ部材（２０）は中央に枢設孔（２１０）が形成されると共に、両端に自由端（２１１）が設けられるＶ字形の枢設ロッド（２１）と二つの油圧ロッド（２２）を有し、ナットとボルトなどの固定部材（２３）によって該枢設ロッド（２１）の中央個所と油圧ロッド（２２）の一端が枢設座（１１）に枢設され、該油圧ロッド（２２）の他端が枢設ロッド（２１）の自由端（２１１）に枢設されることにより、揺れ部材（２０）の枢設ロッド（２１）がエ字形のベース（１０）に対して揺れることができる。
【００１２】
前記ボード（３０）はサーフィンボード又はスケートボードのようなボードであり、揺れ部材（２０）の枢設ロッド（２１）における自由端（２１１）の上部に固設されることにより、揺れ部材（２０）と共にベース（１０）に対して揺れることができる。又、使用者が本考案の揺れる運動部材の使用中に落ちることを防止するため、ボード（３０）の両端に止めプレート（３１）が設けられることができる。
【００１３】
図３に示すように、本考案に係る揺れ運動部材が揺れる際、揺れロッド（２１）の二つ自由端（２１１）をベース（１０）における弾性力を有する緩衝ブロック（１２）と接触することにより、ボード（３０）が揺れる時、揺れロッド（２１）の自由端（２１１）とベース（１０）の接触によって発生する衝撃を緩衝することができる。
【００１４】
図４に示すように、本考案に係る揺れ運動部材を使用する場合、両足が平行するようにボード（３０）の上に立ちあがるまま、揺れ部材（２０）がベースに対して揺れることにより、上半身を下半身に対して動かしながら、腰を動かすと共に、身体のバランス感を訓練することができる。
【００１５】
又、図５に示すように、本考案に係る揺れ運動部材の他の使用状態において、両足が一直線のようにボード（３０）の上に立ちあがることにより、サーフィンのように揺れることにより、身体を動かすことができる。
【００１６】
又、図１及び図２に示すように、本考案に係る揺れ運動部材の美観性を向上するため、ベース（１０）の中段における枢設座（１１）の外側に装飾カバー（１３）が設けられることができる。
【産業上の利用可能性】
【００１７】
本考案は上記の構成を有するので、エ字形のベースと、ベースの中段に枢設される揺れ部材と、揺れ部材の上部に設けられるボードとを備える揺れ運動部材によって両足が平行するようにボードの上に立ちあがるまま、揺れ部材がベースに対して揺れることにより、上半身を下半身に対して動かしながら、腰を動かすと共に、身体のバランス感を訓練することができる。
【図面の簡単な説明】
【００１８】
【図１】本考案に係る揺れ運動部材の斜視図である。
【図２】本考案に係る揺れ運動部材の分解斜視図である。
【図３】本考案に係る揺れ運動部材の側面図である。
【図４】本考案に係る揺れ運動部材の使用状態を示す斜視図である。
【図５】本考案に係る揺れ運動部材の他の使用状態を示す斜視図である。
【符号の説明】
【００１９】
１０        ベース
１１        枢設座
１２        緩衝ブロック
１３        装飾カバー
２０        揺れ部材
２１        枢設ロッド
２１０      枢設孔
２１１      自由端
２２        油圧ロッド
３０        ボード
３１        止めプレート
【図１】
0003100775.tif 000003
【図２】
0003100775.tif 000004
【図３】
0003100775.tif 000005
【図４】
0003100775.tif 000006
【図５】
0003100775.tif 000007